(57)【要約】【課題】  プリント基板に配置される電子部品の座標位置とこの基板の表裏を、回路図上で特定可能とし、回路図に配置される電子部品の座標位置を、プリント基板上で特定可能に構成したプリント基板を備えた電子機器を提供する。【解決手段】  マイコン基板３２上に配置される電子部品５１、５２のＸ軸方向４１とＹ軸方向４２による座標位置記号４５をマイコン回路図２２に配置される電子部品５１、５２のレファレンス番号６５や部品記号６１の近傍に表示し、マイコン回路図２２上に配置される電子部品５１、５２の座標位置記号４５をマイコン基板３２に配置される電子部品５１、５２のレファレンス番号６５や部品マーク６２の近傍に表示する。両面実装基板を用いた映像音声処理基板３３では基板３３の表裏３ｃ、３ｄを示す表裏特定記号４６をこの基板３３の回路図２３の座標位置記号４５に付して表示した。【選択図】      図１
2006303242.tif 000002
【特許請求の範囲】
【請求項１】
回路設計用ＣＡＤ装置によって回路図を設計し、基板設計用ＣＡＤ装置によって前記回路図に対応するプリント基板を設計して成る該プリント基板は、その外周にＸ軸方向とＹ軸方向の夫々に目盛りを表示し、このＸ軸方向とＹ軸方向を特定し、且つ、前記目盛りで仕切られた位置を示す位置表示記号を表示し、前記プリント基板に配置される夫々の電子部品の座標位置を前記目盛りと前記位置表示記号によって特定可能とするプリント基板を備えた電子機器において、前記基板設計用ＣＡＤ装置によって設計された前記プリント基板上に配置される夫々の電子部品の座標位置データを、前記回路設計用ＣＡＤ装置に記憶保持させ、この記憶保持された座標位置データに基づく夫々の座標位置記号を、前記回路設計用ＣＡＤ装置によって該プリント基板の回路図に配置される夫々の電子部品を特定するレファレンス番号または電子部品の種類を表す部品記号の近傍に表示させ、前記回路図に表示された夫々の電子部品の座標位置に対応する座標位置記号によって前記プリント基板上に配置される夫々の電子部品の座標位置を特定可能に構成したことを特徴とするプリント基板を備えた電子機器。
【請求項２】
前記プリント基板の回路図は、その外周にＸ軸方向とＹ軸方向の夫々に目盛りを表示し、このＸ軸方向とＹ軸方向を特定し、且つ、前記目盛りで仕切られた位置を示す位置表示記号を表示し、前記回路図に配置される夫々の電子部品の座標位置を前記目盛りと前記位置表示記号によって特定可能とし、前記回路設計用ＣＡＤ装置によって前記回路図に配置される夫々の電子部品の座標位置データを、基板設計用ＣＡＤ装置に記憶保持させ、この記憶保持された座標位置データに基づく夫々の座標位置記号を、前記基板設計用ＣＡＤ装置によって前記プリント基板上に配置される夫々の電子部品を特定するレファレンス番号または電子部品の種類や概略の大きさを表す部品マークの近傍に表示させ、前記プリント基板に表示された夫々の電子部品の座標位置に対応する座標位置記号によって前記回路図上に配置される夫々の電子部品の座標位置を特定可能に構成したことを特徴とする請求項１記載のプリント基板を備えた電子機器。
【請求項３】
前記回路図に表示される前記電子部品の座標位置記号は、前記プリント基板の表面と裏面とを特定する表裏特定記号を付して表示し、該表裏特定記号によって前記プリント基板に配置される電子部品が該プリント基板の表裏の何れに配置されたかを特定可能に構成したことを特徴とする請求項１または２記載のプリント基板を備えた電子機器。
【発明の詳細な説明】
【技術分野】
【０００１】
本発明は、電子部品を配置するプリント基板を備える電子機器において、特にプリント基板上に配置される電子部品、及び回路図に配置される電子部品の座標位置を、回路図上、或いはプリント基板上で容易に特定することが出来るプリント基板を備えた電子機器に関するものである。
【背景技術】
【０００２】
従来から電子機器の故障時に、そこに組み込まれているプリント基板の確認や修理を行なうに際し、前記電子機器のプリント基板とその回路図とを照らし合わせながら、故障箇所の確認をし、修理が行われており、プリント基板に配置された夫々の電子部品と、回路図に配置された夫々の電子部品の部品記号と、各部品記号間の配線や信号経路などの特定を容易に行うための取り組みがなされてきた。
【０００３】
例えば特許文献１には「印刷配線板」などがあり、プリント基板の表面にＸ軸方向とＹ軸方向に一定間隔で互いに平行な直線を略碁盤目状に表記し、Ｘ軸方向とＹ軸方向に概略位置特定記号を設けて大まかな座標位置を特定可能とし、さらにこれを細分した目盛りに対応する目盛り位置特定記号を設けてプリント基板上に配置される電子部品の座標位置を特定する方法が提案されていた。
【０００４】
また、特許文献２には「プリント基板の部品識別方法」などがあり、プリント基板の表面と裏面の双方に電子部品が配置されるプリント基板の回路を表示する回路図において、電子部品を表示する記号やレファレンス番号の近傍に、その電子部品がプリント基板の表裏の何れに配置されるかを示す識別マークを表示する方法が提案されていた。
【０００５】
【特許文献１】特開平５−３７０９９号公報
【特許文献２】特開２００４−３４２７８８号公報
【発明の開示】
【発明が解決しようとする課題】
【０００６】
前述の特許文献１による従来技術によれば、プリント基板上に略碁盤目状に表記された座標線と位置特定記号によって、このプリント基板上に配置された夫々の電子部品の座標位置を容易に特定することは可能であるが、このプリント基板に配置された特定の電子部品の座標位置を回路図と照らし合わせても、この回路図にプリント基板上の座標位置情報が記載されていないので、プリント基板に配置された前記特定の電子部品を回路図上で容易に探し出すことが出来ないといった問題がある。また、これとは逆に、前記プリント基板にも前記回路図上の夫々の電子部品の座標位置情報が記載されていないので、この回路図に配置された前記特定の電子部品を探し出し、この回路図に表示された各電子部品の部品記号間の配線や信号経路を把握しながら故障箇所の確認を容易に行うことが出来ないといった問題がある。
【０００７】
また、特許文献２による従来技術によれば、回路図に配置された電子部品を表示する記号やレファレンス番号の近傍に、その電子部品がプリント基板の表裏の何れに配置されるかを示す識別マークを表示するものであるが、プリント基板に配置される電子部品の座標位置を回路図に表示するものではなく、プリント基板に配置された夫々の電子部品の中から特定の電子部品を、回路図に配置された夫々の電子部品の中から前記特定の電子部品を容易に探し出すことが出来ないといった問題がある。
【０００８】
そこで本発明は、前記課題に鑑みてなされたものであり、前記従来技術に示したような問題を解消し、プリント基板に配置される夫々の電子部品の座標位置を、回路図を見ただけで容易に特定する。或いは回路図に配置される夫々の電子部品の座標位置を、プリント基板を見ただけで容易に特定可能とする。及び、それら夫々の電子部品がプリント基板の表面に配置されているのか、或いは裏面に配置されているのかを、回路図を見ただけで容易に特定可能とするプリント基板を備える電子機器を提供することを目的とする。
【課題を解決するための手段】
【０００９】
請求項１のプリント基板を備えた電子機器は、回路設計用ＣＡＤ装置によって回路図を設計し、基板設計用ＣＡＤ装置によって前記回路図に対応するプリント基板を設計して成る該プリント基板は、その外周にＸ軸方向とＹ軸方向の夫々に目盛りを表示し、このＸ軸方向とＹ軸方向を特定し、且つ、前記目盛りで仕切られた位置を示す位置表示記号を表示し、前記プリント基板に配置される夫々の電子部品の座標位置を前記目盛りと前記位置表示記号によって特定可能とするプリント基板を備えた電子機器において、前記基板設計用ＣＡＤ装置によって設計された前記プリント基板上に配置される夫々の電子部品の座標位置データを、前記回路設計用ＣＡＤ装置に記憶保持させ、この記憶保持された座標位置データに基づく夫々の座標位置記号を、前記回路設計用ＣＡＤ装置によって該プリント基板の回路図に配置される夫々の電子部品を特定するレファレンス番号または電子部品の種類を表す部品記号の近傍に表示させ、前記回路図に表示された夫々の電子部品の座標位置に対応する座標位置記号によって前記プリント基板上に配置される夫々の電子部品の座標位置を特定可能に構成したことを特徴とする。
【００１０】
請求項１の構成によれば、このプリント基板を備えた電子機器は、前記基板設計用ＣＡＤ装置によって設計された前記プリント基板上に配置される夫々の電子部品の座標位置データは、前記回路設計用ＣＡＤ装置に記憶保持されることにより、この記憶保持された座標位置データに基づく夫々の座標位置記号は、前記回路設計用ＣＡＤ装置によって該プリント基板の回路図に配置される夫々の電子部品を特定するレファレンス番号または電子部品の種類を表す部品記号の近傍に表示されるので、前記回路図に表示された夫々の電子部品の座標位置に対応する座標位置記号によって前記プリント基板上に配置される夫々の電子部品の座標位置を特定可能に構成することが出来る。
【００１１】
請求項２のプリント基板を備えた電子機器は、請求項１記載のプリント基板を備えた電子機器において、前記プリント基板の回路図は、その外周にＸ軸方向とＹ軸方向の夫々に目盛りを表示し、このＸ軸方向とＹ軸方向を特定し、且つ、前記目盛りで仕切られた位置を示す位置表示記号を表示し、前記回路図に配置される夫々の電子部品の座標位置を前記目盛りと前記位置表示記号によって特定可能とし、前記回路設計用ＣＡＤ装置によって前記回路図に配置される夫々の電子部品の座標位置データを、基板設計用ＣＡＤ装置に記憶保持させ、この記憶保持された座標位置データに基づく夫々の座標位置記号を、前記基板設計用ＣＡＤ装置によって前記プリント基板上に配置される夫々の電子部品を特定するレファレンス番号または電子部品の種類や概略の大きさを表す部品マークの近傍に表示させ、前記プリント基板に表示された夫々の電子部品の座標位置に対応する座標位置記号によって前記回路図上に配置される夫々の電子部品の座標位置を特定可能に構成したことを特徴とする。
【００１２】
請求項２の構成によれば、前記回路設計用ＣＡＤ装置によって前記回路図に配置される夫々の電子部品の座標位置データは、基板設計用ＣＡＤ装置に記憶保持されることにより、この記憶保持された座標位置データに基づく夫々の座標位置記号は、前記基板設計用ＣＡＤ装置によって前記プリント基板上に配置される夫々の電子部品を特定するレファレンス番号または電子部品の種類や概略の大きさを表す部品マークの近傍に表示されるので、前記プリント基板に表示された夫々の電子部品の座標位置に対応する座標位置記号によって前記回路図上に配置される夫々の電子部品の座標位置を特定可能に構成することが出来る。
【００１３】
請求項３のプリント基板を備えた電子機器は、請求項１または２記載のプリント基板を備えた電子機器において、前記回路図に表示される前記電子部品の座標位置記号は、前記プリント基板の表面と裏面とを特定する表裏特定記号を付して表示し、該表裏特定記号によって前記プリント基板に配置される電子部品が該プリント基板の表裏の何れに配置されたかを特定可能に構成したことを特徴とする。
【００１４】
請求項３の構成によれば、前記回路図に表示される前記電子部品の座標位置記号は、前記プリント基板の表面と裏面とを特定する表裏特定記号を付して表示されることにより、該表裏特定記号によって前記プリント基板に配置される電子部品が該プリント基板の表裏の何れに配置されたかを特定可能に構成することが出来る。
【発明の効果】
【００１５】
請求項１の発明によれば、このプリント基板を備えた電子機器は、前記基板設計用ＣＡＤ装置によって設計された前記プリント基板上に配置される夫々の電子部品の座標位置データを、前記回路設計用ＣＡＤ装置に記憶保持させることにより、この記憶保持された座標位置データに基づく夫々の座標位置記号を、前記回路設計用ＣＡＤ装置によって該プリント基板の回路図に配置される夫々の電子部品のレファレンス番号または部品記号の近傍に表示することが出来るので、前記回路図に表示された夫々の電子部品の座標位置に対応する座標位置記号によって前記プリント基板上に配置される夫々の電子部品の座標位置を容易に特定することが可能となる。これにより、電子機器の故障時に、そこに組み込まれているプリント基板に配置された夫々の電子部品の確認や修理を行なうに際し、前記電子機器のプリント基板とその回路図とを照らし合わせながら、プリント基板に配置された夫々の電子部品と対応する特定の電子部品を回路図上から容易に探し出し、回路図に配置された夫々の電子部品のレファレンス番号または部品記号と、回路図における各部品記号間の配線や信号経路などを容易に把握することにより、故障箇所の確認をし、前記レファレンス番号などから故障した電子部品の部品番号や定格値を確認し、素早く修理を行うことが容易となる。
【００１６】
請求項２の発明によれば、前記回路設計用ＣＡＤ装置によって前記回路図に配置される夫々の電子部品の座標位置データを、基板設計用ＣＡＤ装置に記憶保持させることにより、この記憶保持された座標位置データに基づく夫々の座標位置記号を、前記基板設計用ＣＡＤ装置によって前記プリント基板上に配置される夫々の電子部品のレファレンス番号または部品マークの近傍に表示することが出来るので、前記プリント基板に表示された夫々の電子部品の座標位置に対応する座標位置記号によって前記回路図上に配置される夫々の電子部品の座標位置を容易に特定することが可能となる。これにより、電子機器の故障時に、そこに組み込まれているプリント基板に配置された夫々の電子部品の確認や修理を行なうに際し、前記電子機器のプリント基板とその回路図とを照らし合わせながら、プリント基板に配置された夫々の電子部品のレファレンス番号または部品マークと対応する特定の電子部品を回路図上から容易に探し出し、回路図に配置された夫々の電子部品のレファレンス番号または部品記号と、回路図における各部品記号間の配線や信号経路などを容易に把握することにより、故障箇所の確認をし、前記レファレンス番号などから故障した電子部品の部品番号や定格値を確認し、素早く修理を行うことが容易となる。
【００１７】
請求項３の発明によれば、前記回路図に表示される前記電子部品の座標位置記号は、前記プリント基板の表面と裏面とを特定する表裏特定記号を付して表示されることにより、該表裏特定記号によって前記プリント基板に配置される電子部品が該プリント基板の表裏の何れに配置されたかを容易に特定することが可能となる。これにより、プリント基板の表面と裏面に電子部品が配置される場合でも、回路図を見ただけでプリント基板の表裏の何れに配置されているかが容易に特定することが出来るので、電子機器の故障時に、そこに組み込まれているプリント基板に配置された夫々の電子部品の確認や修理を行なうに際し、前記電子機器のプリント基板とその回路図とを照らし合わせながら、プリント基板の表裏に配置された夫々の電子部品のレファレンス番号または部品マークと対応する特定の電子部品を回路図上から探し出し、回路図に配置された夫々の電子部品のレファレンス番号または部品記号と、回路図における各部品記号間の配線や信号経路などを容易に特定することにより、故障箇所の確認をし、前記レファレンス番号などから故障した電子部品の部品番号や定格値を確認し、素早く修理を行うことが容易となる。
【発明を実施するための最良の形態】
【００１８】
以上のように、本発明は、特にプリント基板上に配置される電子部品、及び回路図に配置される電子部品の座標位置を回路図上、或いはプリント基板上で容易に特定できる電子部品の座標位置特定法に関するものであるが、以下の説明において、図１、図２は、プリント基板に配置される電子部品の座標位置を、回路図に配置されるレファレンス番号や部品記号の近傍に表示すると共に、回路図に配置される電子部品の座標位置を、プリント基板に配置される電子部品のレファレンス番号や部品マークの近傍に表示する表示例であり、図３から図５は、これらをもとにプリント基板に配置される電子部品の座標位置を、回路図に配置されるレファレンス番号や部品記号の近傍に表示すると共に、プリント基板の表裏を特定可能に回路図に表示する実施例について示している。これらの実施例についての詳細を以下に説明する。
【００１９】
以下、本発明を実施するための最良の形態としての実施例を図１〜図６により以下に説明する。もちろん、本発明は、その発明の趣旨に反さない範囲で、実施例において説明した以外のものに対しても容易に適用可能なことは説明を要するまでもない。
【実施例】
【００２０】
図１はプリント基板に配置される電子部品の座標位置記号を、回路図に配置される電子部品のレファレンス番号または部品記号の近傍に表示した状態を示す回路図の平面説明図であり、図２は前記回路図に配置される電子部品の座標位置記号を、プリント基板に配置される電子部品のレファレンス番号または部品マークの近傍に表示した状態を示すプリント基板表面の平面説明図である。これら図１と図２は座標位置記号の表示例を説明するためにテレビのマイコン回路図とマイコン基板を模式的に示した回路図とプリント基板であり、実際のマイコン回路図とマイコン基板とは異なるものである。また、図６は後述する映像音声処理基板を備えたテレビの概観を示す斜視図である。
【００２１】
図６により、本発明におけるプリント基板を備えたテレビについて説明する。図６のテレビ１は、前方のフロントキャビネット１ａに表示部１ｃが配置され、この表示部１ｃの下方に視聴者が操作ボタン１ｄを操作してテレビ１の動作を指示する操作部１ｅと、図示しないリモコン装置からの指示信号を受信するリモコン受光部１ｆが配置されている。また、後方にはリアキャビネット１ｂが配置され、前記フロントキャビネット１ａとリアキャビネット１ｂの内部には、後述するテレビ１の映像音声信号を処理して表示するための映像音声処理回路が形成された映像音声処理基板（図示略）が配置されている。
【００２２】
続いて、図１と図２により、回路図と、これに対応するプリント基板について説明する。図１により図２に示すプリント基板に配置される電子部品の座標位置記号を、回路図に配置される電子部品のレファレンス番号または部品記号の近傍に表示した状態を示す回路図について説明する。図１に示す回路図２２は前述のように図６に示すテレビ1のマイコン回路２２ａを模式的に形成しており、この回路名２ａである「マイコン回路」と表示されている。また、これをもとに図２に示すマイコン基板３２が作成されることを示す「マイコン基板」と基板名３ａが表示されている。また、このマイコン回路図２２には、この回路図２２の図面番号２ｂが「ＣＵ１２３４Ａ」と表示されている。この回路図２２は、図１において回路図２２の左右方向をＸ軸方向４１、上下方向をＹ軸方向４２とし、マイコン回路図２２の外周２１には前記Ｘ軸方向４１とＹ軸方向４２には一定間隔に目盛り４３が表示されており、これらの目盛り４３の間には個々の目盛り４３に仕切られた位置を示す位置表示記号４４が、Ｘ軸方向４１にはＡ、Ｂ、Ｃ、Ｄ、Ｅ、Ｆとアルファベットで、Ｙ軸方向４２には１、２、３、４、５と数字で表示されている。
【００２３】
このマイコン回路図２２には抵抗器５１を示す部品記号６１とコンデンサ５２を示す部品記号６１が配置され、前記抵抗器５１の部品記号６１の上には「Ｒ１００１」とレファレンス番号６５が表示され、部品記号６１の下に定格値６３が１００オームであることを示す数値が「１００」と表示され、その下に（Ｂ−４）とマイコン基板３２上の座標位置を示す座標位置記号４５が表示されている。また、前記コンデンサ５２の部品記号６１の右に「Ｃ１０３５」とレファレンス番号６５が表示され、その下に定格値６３が２２ピコファラッドであることを示す数値が「２２Ｐ」と表示され、さらにその下に（Ｃ―３）と座標位置記号４５が表示されている。これらの抵抗器５１とコンデンサ５２の夫々は接続線２４により配線されている。
【００２４】
このマイコン回路図２２をもとに作成される図２に示すマイコン基板３２は、その表面３ｃにのみ前記抵抗器５１などの電子部品が配置される片面実装用基板材が用いられていることにより、裏面３ｄとの特定は不要となることから、本来であれば、前記マイコン回路図２２に配置された抵抗器５１やコンデンサ５２のレファレンス番号６５や部品記号６１の近傍に表示される座標位置記号４５に表裏特定記号４６が付記されて表示されるべきところではあるが、該マイコン回路図２２は、この表裏特定記号４６の表示を省略し、電子部品５１、５２の種類を示す部品記号６１と、電子部品５１、５２を特定するレファレンス番号６５と、電子部品５１、５２の定格値６３や部品番号６４と、座標位置記号４５などが表示されている。
【００２５】
この抵抗器５１を例に、マイコン回路図２２に表示される座標位置記号４５について説明する。このマイコン回路図２２に対応してマイコン基板３２に配置されるレファレンス番号６５が「Ｒ１００１」の抵抗器５１の座標位置を示す位置表示記号４４はＸ軸方向４１がＢで、Ｙ軸方向４２が４である。これにより、この抵抗器５１のマイコン基板３２上の座標位置記号４５は（Ｂ−４）と、マイコン回路図２２に配置された前記抵抗器５１のレファレンス番号６５や部品記号６１が表示された近傍に表示される。
【００２６】
次に、図２により、図１に示す前記マイコン回路図２２に配置される電子部品５１、５２の座標位置記号４５を、マイコン基板３２に配置される電子部品５１、５２のレファレンス番号６５や部品マーク６２の近傍に表示した状態を示すマイコン基板３２について説明する。図２に示すマイコン基板３２は図１に示すマイコン回路図２２に基づいて形成されており、この基板３２の品番３ｂが「ＴＭ１２３４Ａ」と表示されている。また、このマイコン基板３２には、図２においては基板３２の左右方向をＸ軸方向４１、上下方向をＹ軸方向４２とし、マイコン基板３２の外周３１には前記Ｘ軸方向４１とＹ軸方向４２には一定間隔に目盛り４３が表示されており、これらの目盛り４３の間には個々の目盛り４３に仕切られた位置を示す位置表示記号４４が、Ｘ軸方向４１にはＡ、Ｂ、Ｃ、Ｄ、Ｅ、Ｆとアルファベットで、Ｙ軸方向４２には１、２、３、４、５と数字で表示されている。
【００２７】
この基板３２には抵抗器５１が配置される位置にこの抵抗器５１の種類と配置方向、抵抗器５１の概略の大きさを示す略矩形の部品マーク６２と、同様にコンデンサ５２の配置位置にこのコンデンサ５２の部品マーク６２が配置され、前記抵抗器５１の部品マーク６２の上には「Ｒ１００１」とレファレンス番号６５が表示され、部品マーク６２の下に（Ｃ−４）とマイコン回路図２２上の座標位置を示す座標位置記号４５が表示されている。また、前記コンデンサ５２の部品マーク６２の上に「Ｃ１０３５」とレファレンス番号６５が表示され、部品マーク６２の下に（Ｄ―３）と座標位置記号４５が表示されている。
【００２８】
この抵抗器５１を例に、マイコン基板３２に表示されるその座標位置記号４５について説明する。このマイコン基板３２に対応してマイコン回路図２２に配置されるレファレンス番号６５が「Ｒ１００１」の抵抗器５１の座標位置を示す位置表示記号４４はＸ軸方向４１がＣで、Ｙ軸方向４２が４である。これにより、この抵抗器５１の座標位置記号４５は（Ｃ−４）と、マイコン基板３２に配置された前記抵抗器５１のレファレンス番号６５や部品マーク６２が表示された近傍に表示される。
【００２９】
図１で示す前記マイコン回路２２ａの回路図２２に表示された抵抗器５１とコンデンサ５２が、この回路図２２と対応する図２に示すマイコン基板３２の何れの位置に配置されているかを照らし合わせてみると、マイコン回路図２２においてレファレンス番号６５が「Ｒ１００１」の抵抗器５１に表示された座標位置記号４５は（Ｂ−４）であり、同様に、レファレンス番号６５が「Ｃ１０３５」のコンデンサ５２に表示された座標位置記号４５は（Ｃ―３）である。従って、前記図１で示した回路図２に配置された前記抵抗器５１とコンデンサ５２の座標位置記号４５を、マイコン基板３２上で探すには、抵抗器５１の場合はＸ軸方向４１の位置表示記号４４がＢで、Ｙ軸方向４２の位置表示記号４４が４となる領域を探すだけで容易に探し当てることが出来る。また、コンデンサ５２の場合はＸ軸方向４１の位置表示記号４４がＣで、Ｙ軸方向４２の位置表示記号４４が３となる領域を探すだけで容易に探し当てることが出来る。
【００３０】
また、図２で示す前記マイコン基板３２に表示された抵抗器５１とコンデンサ５２が、この基板３２と対応する図１に示すマイコン回路図２２の何れの位置に配置されているかを照らし合わせてみると、マイコン基板３２においてレファレンス番号６５が「Ｒ１００１」の抵抗器５１に表示された座標位置記号４５は（Ｃ−４）であり、同様に、レファレンス番号６５が「Ｃ１０３５」のコンデンサ５２に表示された座標位置記号４５は（Ｄ―３）である。従って、前記図２で示した基板３２上に配置された前記抵抗器５１とコンデンサ５２の座標位置記号４５を、マイコン回路図２２上で探すには、抵抗器５１の場合はＸ軸方向４１の位置表示記号４４がＣで、Ｙ軸方向４２の位置表示記号４４が４となる領域を探すだけで容易に探し当てることが出来る。また、コンデンサ５２の場合はＸ軸方向４１の位置表示記号４４がＤで、Ｙ軸方向４２の位置表示記号４４が３となる領域を探すだけで容易に探し当てることが出来る。
【００３１】
次に、図示しない回路設計用ＣＡＤ装置と基板設計用ＣＡＤ装置を用いて、前記マイコン回路図２２と前記マイコン基板３２を設計し、夫々に電子部品５１、５２の座標位置記号４５と表裏特定記号４６を表示させる手順の概略について説明する。
【００３２】
先ず、前記回路設計用ＣＡＤ装置を用いて、前記マイコン回路図２２を設計する概略の手順を説明する。最初にマイコン回路図２２の外形を枠線で囲い、その外周２１のＸ軸方向４１とＹ軸方向４２に夫々目盛り４３と位置表示記号４４を表記する。続いて、マイコン回路２２ａを構成する抵抗器５１やコンデンサ５２など電子部品の部品記号６１をこの回路図２２上に配置して、夫々の部品記号６１間を接続線２４で接続する。次に、これら夫々の部品記号６１の近傍に夫々の電子部品５１、５２のレファレンス番号６５、定格値６３や部品番号６４を表示し、このマイコン回路図２２に回路名２ａや基板名３ａ、回路図２２の図番２ｂなどを表示する。
【００３３】
続いて、前記基板設計用ＣＡＤ装置を用いて、前記マイコン回路図２２をもとにマイコン基板３２を設計する概略の手順を説明する。先ず、マイコン基板３２の外形を指定された寸法に表記し、その外周３１のＸ軸方向４１とＹ軸方向４２に夫々目盛り４３と位置表示記号４４を表記する。続いて、テレビ１などの電子機器によってその構造上、予め配置される位置が指定された図示しないスイッチやコネクタなどの電子部品を、この基板３２上の指定された位置に配置する。次に、前記位置指定外の抵抗器５１やコンデンサ５２など他の電子部品を基板３２上に配置して、前記マイコン回路図２２における部品記号６１間の接続通りに夫々の電子部品５１、５２間を配線する。或いは、前記回路設計用ＣＡＤ装置によるマイコン回路図２２データをこの基板設計用ＣＡＤ装置に取り込んで、前記指定外の他の電子部品５１、５２を配置し、夫々を配線する。続いて、このマイコン基板３２の品番３ｂ、夫々の電子部品５１、５２の前記部品マーク６２、レファレンス番号６５などの表示を行なう。
【００３４】
次に、前記基板設計用ＣＡＤ装置のマイコン基板３２データの中から、夫々の電子部品５１、５２のレファレンス番号６５にその座標位置データとマイコン基板３２の表裏３ｃ、３ｄを特定する表裏特定データとを対応させて出力する。続いて、前記基板設計用ＣＡＤ装置から出力されたマイコン基板３２上に配置される夫々の電子部品５１、５２のレファレンス番号６５と対応する座標位置データと表裏特定データとをこの回路設計用ＣＡＤ装置に取り込む。次に、該回路設計用ＣＡＤ装置は、前記基板設計用ＣＡＤ装置から取り込んだ夫々の電子部品５１、５２のレファレンス番号６５と座標位置データと表裏特定データとを記憶保持する。続いて、記憶保持された基板３２上の電子部品５１、５２のレファレンス番号６５に対応する座標位置データと表裏特定データを、マイコン回路図２２に配置される夫々の電子部品５１、５２のレファレンス番号６５に対応して出力し、マイコン回路図２２に配置された各々の電子部品５１、５２の部品記号６１やレファレンス番号６５の近傍に座標位置記号４５と表裏特定記号４６を表示する。
【００３５】
続いて、前記回路設計用ＣＡＤ装置のマイコン回路図２２データの中から、夫々の電子部品５１、５２のレファレンス番号６５にその座標位置データを対応させて出力する。続いて、前記回路設計用ＣＡＤ装置から出力されたマイコン回路図２２上に配置される夫々の電子部品５１、５２のレファレンス番号６５と対応する座標位置データをこの基板設計用ＣＡＤ装置に取り込む。次に、該基板設計用ＣＡＤ装置は、前記回路設計用ＣＡＤ装置から取り込んだ夫々の電子部品５１、５２のレファレンス番号６５と座標位置データとを記憶保持する。続いて、記憶保持された回路図２２上の電子部品５１、５２のレファレンス番号６５に対応する座標位置データを、マイコン基板３２に配置される夫々の電子部品５１、５２のレファレンス番号６５に対応して出力し、マイコン基板３２に配置された各々の電子部品５１、５２の部品マーク６２やレファレンス番号６５の近傍に座標位置記号４５を表示する。
【００３６】
なお、複数のマイコン回路図２２からこのマイコン基板３２が形成される場合は、前記マイコン基板３２の表裏３ｃ、３ｄに配置される夫々の電子部品５１、５２の表裏特定記号の表示方法と同様に、次のようにして複数のマイコン回路図２２を特定して表示することが可能である。前記回路設計用ＣＡＤ装置の複数のマイコン回路図２２データの中から、夫々の電子部品５１、５２のレファレンス番号６５にその座標位置データと複数のマイコン回路図２２を特定する回路図特定データを対応させて出力する。続いて、前記回路設計用ＣＡＤ装置から出力された複数のマイコン回路図２２上に配置される夫々の電子部品５１、５２のレファレンス番号６５と対応する座標位置データと回路図特定データとをこの基板設計用ＣＡＤ装置に取り込む。次に、該基板設計用ＣＡＤ装置は、前記回路設計用ＣＡＤ装置から取り込んだ夫々の電子部品５１、５２のレファレンス番号６５と座標位置データと回路図特定データとを記憶保持する。続いて、記憶保持された複数の回路図２２上の電子部品５１、５２のレファレンス番号６５に対応する座標位置データと回路図特定データを、マイコン基板３２のレファレンス番号６５に対応して出力し、マイコン基板３２に配置される各々の電子部品５１、５２の部品マーク６２やレファレンス番号６５の近傍に座標位置記号４５と図示しない回路図特定記号を表示することが出来る。
【００３７】
以上により、このマイコン基板３２は、前記基板設計用ＣＡＤ装置によって設計された前記マイコン基板３２上に配置される夫々の電子部品５１、５２の座標位置データを、前記回路設計用ＣＡＤ装置に記憶保持させることにより、この記憶保持された座標位置データに基づく夫々の座標位置記号４５を、前記回路設計用ＣＡＤ装置によって該マイコン基板３２の回路図２２に配置される夫々の電子部品５１、５２を特定するレファレンス番号６５または部品記号６１の近傍に表示することが出来るので、前記回路図２２に表示された夫々の電子部品５１、５２のレファレンス番号６５または部品記号６１に対応する座標位置記号４５によって前記マイコン基板３２上に配置される夫々の電子部品５１、５２の座標位置を容易に特定することが出来る。
【００３８】
また、前記回路設計用ＣＡＤ装置によって前記マイコン回路図２２に配置される夫々の電子部品５１、５２の座標位置データを、基板設計用ＣＡＤ装置に記憶保持させることにより、この記憶保持された座標位置データに基づく夫々の座標位置記号４５を、前記基板設計用ＣＡＤ装置によって前記マイコン基板３２上に配置される夫々の電子部品５１、５２を特定するレファレンス番号６５または部品マーク６２の近傍に表示することが出来るので、前記マイコン基板３２に表示された夫々の電子部品５１、５２のレファレンス番号６５または部品マーク６２に対応する座標位置記号４５によって前記マイコン回路図２２上に配置される夫々の電子部品５１、５２の座標位置を容易に特定することが出来る。
【００３９】
これにより、テレビ１など電子機器の故障時に、そこに組み込まれているマイコン基板３２などのプリント基板に配置された夫々の電子部品５１、５２の確認や修理を行なうに際し、前記テレビ１のマイコン基板３２とその回路図２２とを照らし合わせながら、マイコン基板３２に配置された夫々の電子部品５１、５２のレファレンス番号６５または部品マーク６２と対応する特定の電子部品５１、５２をマイコン回路図２２上から容易に探し出し、この回路図２２に配置された夫々の電子部品５１、５２のレファレンス番号６５または部品記号６１と、マイコン回路図２２における各部品記号６１間の配線や信号経路などを容易に把握することにより、故障箇所の確認をし、前記レファレンス番号６５などから故障した電子部品５１、５２の部品番号６４や定格値６３を確認し、素早く修理を行うことが容易となる。また、前記回路設計用ＣＡＤ装置に記憶保持された、或いは基板設計用ＣＡＤ装置に記憶保持された座標位置データ、及び表裏特定データを利用して、夫々の電子部品５１、５２のレファレンス番号６５順に前記回路図２２と前記マイコン基板３２とに配置された座標位置記号４５、及びマイコン基板３２の表裏特定記号４６を表す一覧表を作成し、この一覧表によって前記回路図２２やマイコン基板３２上に配置された電子部品５１、５２の座標位置やマイコン基板３２の表裏３ｃ、３ｄを容易に探し当てることも可能となる。
【００４０】
従って、従来例のような、プリント基板３２に配置された特定の電子部品５１、５２の座標位置を回路図２２と照らし合わせても、この回路図２２にプリント基板３２上の座標位置記号４５などの座標位置情報が記載されていないので、プリント基板３２に配置された前記特定の電子部品５１、５２を回路図２２上で容易に探し出すことが出来ないといった問題や、これとは逆に、前記プリント基板３２にも前記回路図２２上の夫々の電子部品５１、５２の座標位置情報が記載されていないので、この回路図２２に配置された前記特定の電子部品５１、５２を探し出し、この回路図２２に表示された各電子部品５１、５２の部品記号６１間の配線や信号経路を把握しながら故障箇所の確認を容易に行うことが出来ないといった問題は、前述のように、プリント基板３２上に表示された回路図２２上の座標位置記号４５により容易に特定を可能とし、或いは、回路図２２上に表示されたプリント基板３２上の座標位置記号４５により容易に特定することが出来るので、電子機器１の故障箇所の確認と修理を素早く行うことが出来る。
【００４１】
続いて、本発明における実施例について、プリント基板の表面３ｃと裏面３ｄに電子部品が配置される前記テレビ１の映像音声処理基板における座標位置記号４５の表示と、プリント基板の表裏特定記号４６について説明する。なお、前述までの説明と同一部分には同一符号を示し、その詳細な説明は省略して詳述する。
【００４２】
本実施例において、図３はテレビ１の映像音声処理回路を形成した映像音声処理基板に配置される電子部品の座標位置記号４５と映像音声処理基板の表裏特定記号４６を、映像音声処理回路図に配置される電子部品のレファレンス番号６５や部品記号６１の近傍に表示した状態を示す映像音声処理回路図の平面図であり、図４は図３における映像音声処理回路図と対応する映像音声処理基板の表面３ｃを示す平面図である。図５は図３における映像音声処理回路図と対応する映像音声処理基板の裏面３ｄを示す平面図である。
【００４３】
図３〜図５により、前記テレビ１の映像音声処理回路などが形成された映像音声処理回路図とこの映像音声処理回路図に基づいて設計された映像音声処理基板について説明する。
【００４４】
図３において、２３はテレビ１の映像音声処理回路図であり、そこにはテレビ1の映像音声処理回路２３ａが形成されており、その一部を示したものである。この映像音声処理回路図２３はその上部の外周２１と左側の外周２１に一定の間隔で目盛り４３が表示されている。また、この目盛り４３にはＸ軸方向４１にＡ、Ｂと位置表示記号４４が、Ｙ軸方向４２には５、６、７、８と位置表示記号４４が表示されている。図３に示すこの映像音声処理回路図２３は図４、図５に示すように、映像音声処理基板３３の表面３ｃと裏面３ｄの両面に抵抗器５１やコンデンサ５２といった電子部品を配置可能な両面実装用基板材が用いられていることにより、前記マイコン基板３２とは異なり、前記電子部品５１、５２の座標位置記号４５に前記映像音声処理基板３３の表裏３ｃ、３ｄを示す表裏特定記号４６が、該基板３３の表面３ｃに配置される場合は白丸で、裏面３ｄに配置される場合は黒丸で付記され表示されている。
【００４５】
この映像音声処理回路２３ａの上方には図示しないアンテナが受信した放送電波から１つを選択するチューナ５４の部品記号６１が横長矩形に表示され、その下方には抵抗器５１やコンデンサ５２、インダクタ５３など複数の電子部品を示す部品記号６１が配置され、接続線２４によって接続されている。前記チューナ５４は、レファレンス番号６５が「ＴＵ２８０１」で、この部品番号６４は「ＴＵＮ０１２３」と表示されている。さらに、レファレンス番号６５の右側には座標位置記号４５に白丸の表裏特定記号４６が付記されて表示されており、図４に示すこのテレビ１の映像音声処理基板３３の表面３ｃに配置され、且つ、Ｘ軸方向４１の位置表示記号４４はＣ、Ｙ軸方向４２の位置表示記号４４は1の領域に配置されることを示している。また、前記チューナ５４の左下方にはレファレンス番号６５が「Ｃ２８０１」のコンデンサ５２が配置されているが、座標位置表示記号４５と白丸の表裏特定記号４６の表示から、このコンデンサ５２は、前記映像音声処理基板３３の表面３ｃで位置表示記号４４はＸ軸方向４１がＣ、Ｙ軸方向４２が１の領域に配置されることを示している。同様に、このコンデンサ５２の下方に配置されたレファレンス番号６５が「Ｃ２８０２」のコンデンサ５２と、レファレンス番号６５が「Ｂ２８０２」のインダクタ５３は、その近傍に表示された座標位置記号４５に付記された黒丸の表裏特定記号４６により、共に映像音声処理基板３３の裏面３ｄに配置されることを示している。また、前記インダクタ５３の右方に配置されたレファレンス番号６５が「Ｒ２８２３」の抵抗器５１は白丸の表裏特定記号４６により、前記映像音声基板３３の表面３ｃに配置されること示している。
【００４６】
次に、図４から図５により前記映像音声処理回路図２３に対応する映像音声処理基板３３の表面３ｃと裏面３ｄに配置される複数の前記電子部品５１、５２、５３、５４の配置と部品マーク６２について説明する。この映像音声処理基板３３はその表面３ｃと裏面３ｄの何れにも、部品マーク６２の略中央に前記レファレンス記号６５が表示されており、部品マーク６２が小さい場合は、その一部が欠けて表示されている。
【００４７】
続いて、前記映像音声処理回路図２３のレファレンス番号６５の近傍に表示された白丸の表裏特定記号４６によって映像音声処理基板３３の表面３ｃに配置されると表示された電子部品について説明する。図３に示すこれらの電子部品の中から、レファレンス記号６５が「ＴＵ２８０１」のチューナ５４は、（Ｃ−１）と表示された座標位置記号４５と、そこに付記された白丸の表裏特定記号４６から、前記映像音声処理基板３３の表面３ｃで位置表示記号４４はＸ軸方向４１がＣ、Ｙ軸方向４２が１の領域に配置されることを示している。同様に、前記レファレンス記号６５が「Ｃ２８０１」のコンデンサ５２と、レファレンス記号６５が「Ｒ２８２３」の抵抗器５１の夫々は、図４に示す映像音声処理基板３３の表面３ｃのＸ軸方向４１の位置表示記号４４はＣ、Ｙ軸方向４２の位置表示記号４４は１の領域に配置されることから、前記回路図２３と該基板３３を照らし合わせることにより、回路図２３に表示された白丸の表裏特定記号４６と座標位置記号４５から、この基板３３の表面３ｃの何れの位置に配置されているかを容易に確認することが出来る。
【００４８】
また、前記図３に示す回路図２３で映像音声処理基板３３の裏面３ｄに配置されると表示された、レファレンス記号６５が「Ｃ２８０２」のコンデンサ５２は、（Ｃ−１）と表示された座標位置記号４５と、そこに付記された黒丸の表裏特定記号４６から、図５に示す映像音声処理基板３３の裏面３ｄのＸ軸方向４１の位置表示記号４４はＣ、Ｙ軸方向４２の位置表示記号４４は１の領域に配置されることを示しており、同様に、前記レファレンス記号６５が「Ｂ２８０２」のインダクタ５３は、（Ｄ−２）と表示された座標位置記号４５と黒丸の表裏特定記号４６から、同様に図５に示す映像音声処理基板３３の裏面３ｄのＸ軸方向４１の位置表示記号４４はＤ、Ｙ軸方向４２の位置表示記号４４は２の領域に配置されることから、前記回路図２３と該基板３３とを照らし合わせることにより、回路図２３に表示された表裏特定記号４６と座標位置記号４５からこの基板３３の裏面３ｄの何れの位置に配置されているかを容易に確認することが出来る。
【００４９】
また、図４及び図５には前記Ｘ軸方向４１とＹ軸方向４２の目盛り４３を細分した細分目盛り４３ａが表示されており、該基板３３上の座標位置を細分化して座標位置記号４５を表示することが可能となり、細分目盛り４３ａによる座標位置記号４５により座標位置の精度を向上させることが可能である。例えば、図５に示すようにＸ軸方向４１の細分位置記号４４ａと、Ｙ軸方向４２の細分位置記号４４ａは共にアルファベットの小文字によってａ、ｂ、ｃ、ｄ、ｅと表示されており、前記レファレンス記号６５が「Ｃ２８０２」のコンデンサ５２の座標位置記号４５（Ｃ−１）は細分位置記号４４ａを用いて表示すると（Ｃｅ−１ｃ）と表示され、同様に、前記レファレンス記号６５が「Ｂ２８０２」のインダクタ５３も（Ｄａ−２ｂ）と細分表示することが出来る。これにより、小さなチップ型電子部品などが複数配置される場所は細分位置記号４４ａを用いて座標位置記号４５を表示することにより詳細に特定することが可能となるが、一方で、大き目な電子部品は複数の領域に跨ってしまうこととなり、その座標位置を特定し辛くなってしまう。こうしたときは、細分位置記号４４ａを用いずに位置表示記号４４を用いて座標位置記号４５を表示するなど、配置される電子部品の大きさに合わせて位置表示記号４４と細分位置記号４４ａを併用して座標位置記号４５を表示する。或いは目盛り４３の間隔を電子部品の大きさに合わせて自由に変更するなどにより、それらの座標位置を特定し易くすることも可能である。
【００５０】
これらにより、映像音声処理回路図２３と映像音声処理基板３３とを照らし合わせながら特定の電子部品５１、５２、５３、５４を探す際は、例えば前記特定の電子部品５１、５２、５３、５４をこの基板３３の裏面３ｄに配置されたレファレンス番号６５が「Ｂ２８０２」のインダクタ５３とすると、このインダクタ５３は、前記映像音声処理回路図２３に表示された複数の表示記号６０の中で比較的目立ち易い座標位置記号４５と表裏特定記号４６の表示を選び出し、この表示の中からインダクタ５３を示す略矩形の部品記号６１と、そのレファレンス番号６５の「Ｂ２８０２」が表示されたものを探し出してこのインダクタ５３を特定する。或いは、インダクタ５３の部品記号６１とレファレンス番号６５の「Ｂ２８０２」表示からこのインダクタ５３を特定し、そこに表示されている座標位置記号４５と表裏特定記号４６の表示により基板３３上の配置と照合して特定し、その部品番号６４である「ＢＬＭ１８ＢＢ７５０ＳＮ１」の表示から、その定格値６３などを別の部品表を用いて読み取ることが出来る。
【００５１】
以上の実施例により、前記映像音声処理回路図２３に表示される前記電子部品５１、５２、５３、５４の座標位置記号４５は、前記映像音声処理基板３３の表面３ｃと裏面３ｄとを特定する表裏特定記号４６を付して表示されることにより、該表裏特定記号４６によって前記映像音声処理基板３３に配置される電子部品５１、５２、５３、５４が該映像音声処理基板３３の表裏３ｃ、３ｄの何れに配置されたかを容易に特定することが可能となる。これにより、映像音声処理基板３３の表面３ｃと裏面３ｄに電子部品５１、５２、５３、５４が配置される場合でも、映像音声処理回路図２３を見ただけで映像音声処理基板３３の表裏３ｃ、３ｄの何れに配置されているかが容易に特定することが出来るので、テレビ１の故障時に、そこに組み込まれている映像音声処理基板３３に配置された夫々の電子部品５１、５２、５３、５４の確認や修理を行なうに際し、前記テレビ１の映像音声処理基板３３とその映像音声処理回路図２３とを照らし合わせながら、映像音声処理基板３３の表裏３ｃ、３ｄに配置された夫々の電子部品５１、５２、５３、５４のレファレンス番号６５または部品マーク６２と対応する特定の電子部品５１、５２、５３、５４を映像音声処理回路図２３上から容易に探し出し、映像音声処理回路図２３に配置された夫々の電子部品５１、５２、５３、５４のレファレンス番号６５または部品記号６１と、映像音声処理回路図３３における各部品記号６１間の配線や信号経路などを容易に把握することにより、故障箇所の確認をし、前記レファレンス番号６５などから故障した電子部品５１、５２、５３、５４の部品番号６４や定格値６３を確認し、素早く修理を行うことが容易となる。
【００５２】
これにより、従来例のような、回路図２２、２３に配置された電子部品５１、５２、５３、５４を表示する記号６１やレファレンス番号６５の近傍に、その電子部品５１、５２、５３、５４がプリント基板３２、３３の表裏３ｃ、３ｄの何れに配置されるかを示す識別マーク４６を表示するものであっても、プリント基板３２、３３に配置される電子部品５１、５２、５３、５４の座標位置を回路図２２、２３に表示するものではなく、プリント基板３２、３３に配置された夫々の電子部品５１、５２、５３、５４の中から特定の電子部品５１、５２、５３、５４を、或いは、回路図２２、２３に配置された夫々の電子部品５１、５２、５３、５４の中から前記特定の電子部品５１、５２、５３、５４を容易に探し出すことが出来ないといった問題は、前述のようにプリント基板３２、３３に配置される座標位置とプリント基板３２、３３の表裏３ｃ、３ｄの何れに配置されるかは、座標位置記号４５と表裏特定記号４６を回路図２２、２３に表示する。或いは回路図２２、２３に配置される座標位置はプリント基板３２、３３の表裏３ｃ、３ｄの夫々に分けて表示することにより、回路図２２、２３に表示された座標位置記号４５と表裏特定記号４６によってプリント基板３２、３３上の表裏３ｃ、３ｄの夫々に配置された特定の電子部品５１、５２、５３、５４を容易に探し出すことが出来ると共に、プリント基板３２、３３の表裏３ｃ、３ｄに表示された回路図２２、２３上の座標位置記号４５から特定の電子部品５１、５２、５３、５４を容易に探し出すことが出来る。また、本実施例では一定の間隔で目盛り４３を表示しているが、必ずしも一定の間隔である必要はなく、配置される電子部品の大きさに合わせて目盛り４３の間隔を変更するなど、座標位置が特定できる目盛り４３間隔であれば良い。
【００５３】
以上、本実施例を詳述したが、本発明の要旨の範囲内で種々の変形実施が可能である。例えば、目盛り４３、及び細分目盛り４３ａは回路図２２、２３の外周２１、及び基板３２、３３の外周３１にのみ表示することに限定されるものではなく、回路図２２、２３やプリント基板３２、３３の全面に略碁盤目状に表記して座標位置を特定し易くするなど、座標位置が容易に特定することが可能な状態であればよく、また、１枚のプリント基板３２、３３に対して複数の回路図２２、２３が形成されたときは、例えば、前記表裏特定記号４６に類似して第１の回路図２２、２３を示す回路図特定記号、及び第２の回路図２２、２３を示す回路図特定記号などをプリント基板３２、３３に表示される前記座標位置記号４５に付して表示するなど、適宜選定すればよい。
【図面の簡単な説明】
【００５４】
【図１】本発明におけるマイコン基板に配置される電子部品の座標位置記号を、マイコン回路図に表示した状態を示すマイコン回路図の平面説明図である。
【図２】同上、マイコン回路図に配置される電子部品の座標位置記号を、マイコン基板に表示した状態を示すマイコン基板の平面説明図である。
【図３】本発明の実施例におけるテレビの映像音声処理基板に配置される電子部品の座標位置記号と前記基板の表裏を示す表裏特定記号を、映像音声処理回路図に表示した状態を示す該回路図の平面説明図である。
【図４】同上、映像音声処理回路図と対応する映像音声処理基板の表面を示す平面説明図である。
【図５】同上、映像音声処理回路図と対応する映像音声処理基板の裏面を示す平面説明図である。
【図６】本発明の実施例におけるテレビの概観を示す斜視説明図である。
【符号の説明】
【００５５】
１          テレビ
３ｃ        表面
３ｄ        裏面
２１        回路図の外周
２２        マイコン回路図
２３        映像音声処理回路図
３１        基板の外周
３２        マイコン基板
３３        映像音声処理基板
４１        Ｘ軸方向
４２        Ｙ軸方向
４４        位置表示記号
４５        座標位置記号
４６        表裏特定記号
６１        部品記号
６２        部品マーク
６５        レファレンス番号
【図１】
2006303242.tif 000003
【図２】
2006303242.tif 000004
【図３】
2006303242.tif 000005
【図４】
2006303242.tif 000006
【図５】
2006303242.tif 000007
【図６】
2006303242.tif 000008